(57)【要約】【課題】  チューナを複数備えるテレビ放送受信装置であって、各チューナのそれぞれに対する電源供給の有無の設定を、ユーザによって行うことが可能なようにしたテレビ放送受信装置の提供。【解決手段】  各チューナに対する電源供給の有無の設定を行うための設定画面を表示部１０７に表示し、これに対するユーザからの指示をキー判別１１３３と制御部１１０によって判別・取得し、当該取得した設定内容を記憶部１０９に記憶させ、当該設定内容に従って、制御部１１０及びチューナ電源制御回路１１１によって各チューナ（チューナ１〜３）それぞれへの電源供給の制御を行う。【選択図】  図１
2007036333.tif 000002
【特許請求の範囲】
【請求項１】
各周波数の放送信号を受信するチューナを複数備えるテレビ放送受信装置であって、制御部と、記憶部と、前記各チューナへの電源供給を制御するチューナ電源制御回路と、ユーザからの入力インターフェースである入力部と、を備えることにより、前記各チューナのそれぞれに対する電源供給の有無のユーザによる設定を前記入力部から取得し、当該設定を前記記憶部に記憶させ、当該設定に従って、前記チューナ電源制御回路による前記各チューナへの電源供給を制御させることを特徴とするテレビ放送受信装置。
【請求項２】
前記テレビ放送受信装置を使用するための初期設定時に、前記各チューナのそれぞれに対する電源供給の有無の設定の入力を求めることを特徴とする請求項１記載のテレビ放送受信装置。
【請求項３】
ユーザからの前記入力部に対する入力が、別の放送信号への受信切換え指示であり、当該別の放送信号を受信するチューナに該当するものが、前記電源供給が行われないように設定されたチューナであった場合には、前記別の放送信号への受信切換え処理を行わないことを特徴とする請求項１又は請求項２に記載のテレビ放送受信装置。
【請求項４】
前記別の放送信号への受信切換え指示があり、当該別の放送信号を受信するチューナに該当するものが、前記電源供給が行われないように設定されたチューナであった場合には、これに関する情報を画面表示させることを特徴とする請求項３記載のテレビ放送受信装置。
【請求項５】
ユーザからの前記入力部に対する入力が、別の放送信号への受信切換え指示であり、当該別の放送信号を受信するチューナに該当するものが、前記電源供給が行われないように設定されたチューナであった場合には、当該電源供給が行われていないチューナへの電源供給を行うか否かの指示をユーザに求め、これに対する前記入力部に対するユーザからの指示が、電源供給を行う旨の指示であった場合には、前記チューナ電源制御回路による当該チューナへの電源供給処理を行うと共に、前記別の放送信号への受信切換え処理を行うことを特徴とする請求項１又は請求項２に記載のテレビ放送受信装置。
【請求項６】
前記別の放送信号を受信するチューナに対する電源供給を行わせる旨のユーザからの指示があった際には、前記記憶部に、当該チューナに対する電源供給をオンとする設定を記憶させることを特徴とする請求項５記載のテレビ放送受信装置。
【請求項７】
前記別の放送信号を受信するチューナに対する電源供給を行わせる旨のユーザからの指示があった際に、前記記憶部に記憶されている当該チューナに対する電源供給をオフとする設定を変更させることなく、当該チューナを必要としない動作処理への切換え指示がユーザからあった際に、当該動作処理を行うと共に、前記チューナ電源制御回路による当該チューナへの電源供給を停止させることを特徴とする請求項５記載のテレビ放送受信装置。
【発明の詳細な説明】
【技術分野】
【０００１】
本発明は、テレビ放送受信装置に関し、特に、チューナを複数備えたテレビ放送受信装置であって、各チューナへの電源供給について考慮されたテレビ放送受信装置に関する。
【背景技術】
【０００２】
テレビジョン放送信号には、放送波の方式の相違や、使用する周波数帯域の相違、アナログ／デジタルの別、等の違いがあるため、それぞれに対応した複数のチューナが存在している（例えば、地上波デジタル（若しくはアナログ）チューナ、ＢＳデジタル（若しくはアナログ）チューナ、ＣＳデジタル（若しくはアナログ）チューナ等）。従って、これら全て若しくは複数のテレビジョン放送信号を受信させるためには、装置に複数のチューナを備えさせる必要がある。
【０００３】
しかし、これら複数のチューナを備えた装置（例えばテレビや記録再生装置）の場合、ユーザの環境によっては不要となるチューナも存在し得る（例えば、ＣＳデジタルチューナが搭載されていても、ユーザが対応するアンテナを有していない場合など）。また、装置の動作時に、必ずしも全てのチューナの動作を必要とするとは限らず、むしろ１つのチューナのみが動作している場合が多い（いわゆる“裏番組録画”等を行っている場合には、複数チューナが動作するが、１つの番組のみを受信している場合には１つのチューナのみの動作となるものである）従って、これらのチューナ全てに常に電源供給がなされていたのでは、無駄な電力消費を生じることとなる。このような問題に関連する従来技術が特許文献１〜特許文献３などによって開示されている。
【０００４】
【特許文献１】特開平５−２８４０５３号公報
【特許文献２】特開平９−２７０９７３号公報
【特許文献３】特開平１０−１０８１１５号公報
【発明の開示】
【発明が解決しようとする課題】
【０００５】
上記特許文献で開示される従来技術は、主に、各チューナ等の動作の有無（ユーザによる視聴の有無）を判別して、チューナやアンテナへの電源供給を自動的にオン／オフさせるものである。これらによれば、視聴されていない（動作の必要ながない）チューナ等への電源供給が自動的にオン／オフされるため、ユーザの利便性に優れ、装置の省電力化が図られるものである。
【０００６】
しかし、ユーザによっては、普段ほとんど視聴しないもの（環境としては受信可能なチューナであっても、ほとんど使用されないチューナ）や、そもそも視聴する気が全くないもの（環境としては受信可能なチューナであったとしても、動作の必要がないチューナ）も存在し得る。また、特定のチューナによる受信放送に切換えさせたくないような場合（例えば、教育機関に設置されるテレビ等においてＣＳ放送を受信させたくない場合や、逆にＣＳ放送のみ受信可能とさせたい場合など）も生じ得る。これに対し、上記特許文献で開示される従来技術のごとく、ユーザの選択等に応じて自動的にチューナ等への電源供給をオンとさせる処理とすると、そもそも視聴する気がないチャンネルの操作ボタンを誤って押してしまった場合や、視聴させたくないチャンネルの操作ボタンに対する操作があった場合にも、当該チャンネルに該当するチューナへの電源供給が行われると共に、当該チャンネルの表示処理が行われてしまうため、このようなユーザに対しては利便性が低下すると共に、無駄な電力消費を生ずるものであった。
【０００７】
本発明は上述した点に鑑み、チューナを複数備えるテレビ放送受信装置であって、各チューナのそれぞれに対する電源供給の有無の設定を、ユーザによって行うことが可能なようにしたテレビ放送受信装置を提供することを目的とする。
【課題を解決するための手段】
【０００８】
請求項１のテレビ放送受信装置は、各周波数の放送信号を受信するチューナを複数備えるテレビ放送受信装置であって、制御部と、記憶部と、前記各チューナへの電源供給を制御するチューナ電源制御回路と、ユーザからの入力インターフェースである入力部と、を備えることにより、前記各チューナのそれぞれに対する電源供給の有無のユーザによる設定を前記入力部から取得し、当該設定を前記記憶部に記憶させ、当該設定に従って、前記チューナ電源制御回路による前記各チューナへの電源供給を制御させることを特徴とする。
【０００９】
上記構成によれば、各チューナのそれぞれに対する電源供給の有無の設定がユーザによって行われ、当該設定内容に従って、各チューナのそれぞれに対する電源供給の制御が行われる。
【００１０】
請求項２のテレビ放送受信装置は、請求項１記載のテレビ放送受信装置であって、前記テレビ放送受信装置を使用するための初期設定時に、前記各チューナのそれぞれに対する電源供給の有無の設定の入力を求めることを特徴とする。
【００１１】
上記構成によれば、各チューナのそれぞれに対する電源供給の有無のユーザによる設定が、装置の初期設定時に行われる。なお、「装置を使用するための初期設定」とは、工場出荷後に始めて電源投入された際などに行われる受信チャンネルの設定処理などである。
【００１２】
請求項３のテレビ放送受信装置は、請求項１又は請求項２に記載のテレビ放送受信装置であって、ユーザからの前記入力部に対する入力が、別の放送信号への受信切換え指示であり、当該別の放送信号を受信するチューナに該当するものが、前記電源供給が行われないように設定されたチューナであった場合には、前記別の放送信号への受信切換え処理を行わないことを特徴とする。
【００１３】
上記構成によれば、例えば、ＢＳ放送を受信中に、ＣＳ放送のチャンネルへの変更操作があった場合であって、ＣＳチューナの電源をオフとする設定がなされていた場合には、ＣＳ放送のチャンネルへの切換え処理が行われない（ＢＳ放送の受信を続行する）。
【００１４】
請求項４のテレビ放送受信装置は、請求項３記載のテレビ放送受信装置であって、前記別の放送信号への受信切換え指示があり、当該別の放送信号を受信するチューナに該当するものが、前記電源供給が行われないように設定されたチューナであった場合には、これに関する情報を画面表示させることを特徴とする。
【００１５】
上記構成によれば、例えば、ＢＳ放送を受信中に、ＣＳ放送のチャンネルへの変更操作があった場合であって、ＣＳチューナの電源をオフとする設定がなされていた場合には、ＣＳ放送のチャンネルへの切換え処理を行わず、「ＣＳチューナの電源がオフに設定されています」などの情報が画面表示される。
【００１６】
請求項５のテレビ放送受信装置は、請求項１又は請求項２に記載のテレビ放送受信装置であって、ユーザからの前記入力部に対する入力が、別の放送信号への受信切換え指示であり、当該別の放送信号を受信するチューナに該当するものが、前記電源供給が行われないように設定されたチューナであった場合には、当該電源供給が行われていないチューナへの電源供給を行うか否かの指示をユーザに求め、これに対する前記入力部に対するユーザからの指示が、電源供給を行う旨の指示であった場合には、前記チューナ電源制御回路による当該チューナへの電源供給処理を行うと共に、前記別の放送信号への受信切換え処理を行うことを特徴とする。
【００１７】
上記構成によれば、例えば、ＢＳ放送を受信中に、ＣＳ放送のチャンネルへの変更操作があった場合であって、ＣＳチューナの電源をオフとする設定がなされていた場合には、当該ＣＳチューナに対する電源供給を行うか否かの判断をユーザに求め、電源供給を行う旨の指示であった場合には、ＣＳチューナへの電源供給を行うと共に、ＣＳ放送のチャンネルへの切換え処理が行われる。なお、「チューナに対する電源供給を行うか否かの判断」とは、ユーザの当該チャンネルを視聴する意思の有無を確認するものであり、「チューナに対する電源供給を行うか否か」の指示とは、「当該チャンネルへの切換えを行うか否か」の指示である。従って、「電源供給が行われていないチューナへの電源供給を行うか否かの指示をユーザに求め」る際には、「チャンネル切換えを行うか否か」を求める表示等を行うものであってもよい。
【００１８】
請求項６のテレビ放送受信装置は、請求項５記載のテレビ放送受信装置であって、前記別の放送信号を受信するチューナに対する電源供給を行わせる旨のユーザからの指示があった際には、前記記憶部に、当該チューナに対する電源供給をオンとする設定を記憶させることを特徴とする。
【００１９】
上記構成によれば、例えば、ＢＳ放送を受信中に、ＣＳ放送のチャンネルへの変更操作があった場合であって、ＣＳチューナの電源をオフとする設定がなされていた場合には、当該ＣＳチューナに対する電源供給を行うか否かの判断をユーザに求め、電源供給を行う旨の指示であった場合には、ＣＳチューナへの電源供給をオンとする設定が記憶部に記憶される。
【００２０】
請求項７のテレビ放送受信装置は、請求項５記載のテレビ放送受信装置であって、前記別の放送信号を受信するチューナに対する電源供給を行わせる旨のユーザからの指示があった際に、前記記憶部に記憶されている当該チューナに対する電源供給をオフとする設定を変更させることなく、当該チューナを必要としない動作処理への切換え指示がユーザからあった際に、当該動作処理を行うと共に、前記チューナ電源制御回路による当該チューナへの電源供給を停止させることを特徴とする。
【００２１】
上記構成によれば、例えば、ＢＳ放送を受信中に、ＣＳ放送のチャンネルへの変更操作があった場合であって、ＣＳチューナの電源をオフとする設定がなされていた場合には、当該ＣＳチューナに対する電源供給を行うか否かの判断をユーザに求め、電源供給を行う旨の指示であった場合には、これに従って、ＣＳチューナへの電源供給を行うと共にＣＳ放送のチャンネルへの切換え処理を行い、その後、ＣＳチューナを必要としない動作処理への切換え指示（例えばＢＳ放送のチャンネルへの切換え指示）がユーザからあった際に、当該処理（ＢＳ放送受信処理）を行うと共に、ＣＳチューナへの電源供給が停止される。
【発明の効果】
【００２２】
本発明の請求項１の、各周波数の放送信号を受信するチューナを複数備えるテレビ放送受信装置であって、制御部と、記憶部と、前記各チューナへの電源供給を制御するチューナ電源制御回路と、ユーザからの入力インターフェースである入力部と、を備えることにより、前記各チューナのそれぞれに対する電源供給の有無のユーザによる設定を前記入力部から取得し、当該設定を前記記憶部に記憶させ、当該設定に従って、前記チューナ電源制御回路による前記各チューナへの電源供給を制御させることを特徴とするテレビ放送受信装置によれば、各チューナのそれぞれに対する電源供給の有無の設定がユーザによって行われ、当該設定内容に従って、各チューナのそれぞれに対する電源供給の制御が行われるため、ユーザの意に反して（誤操作の場合や、“使用者”への使用制限を設けたい“管理者”の意に反する場合など）必要の無いチューナへの電源供給がなされることが防止される。従って、ユーザの利便性に優れると共に、消費電力の低減も図られる。
【００２３】
本発明の請求項３の、ユーザからの前記入力部に対する入力が、別の放送信号への受信切換え指示であり、当該別の放送信号を受信するチューナに該当するものが、前記電源供給が行われないように設定されたチューナであった場合には、前記別の放送信号への受信切換え処理を行わないことを特徴とする請求項１又は請求項２に記載のテレビ放送受信装置によれば、例えば、ＣＳ放送のチャンネルへの変更操作がなされても、ＣＳ放送のチャンネルへの切換え処理が行われないようにすることができるため、ユーザの意に反した（誤操作の場合や、“使用者”への使用制限を設けたい“管理者”の意に反する場合など）チャンネル（例えばＣＳ放送）への切換え処理が行われないため、ユーザの利便性に優れると共に、消費電力の低減も図られる。
【００２４】
本発明の請求項４の、前記別の放送信号への受信切換え指示があり、当該別の放送信号を受信するチューナに該当するものが、前記電源供給が行われないように設定されたチューナであった場合には、これに関する情報を画面表示させることを特徴とする請求項３記載のテレビ放送受信装置によれば、例えば、ＣＳ放送のチャンネルへの変更操作がなされても、ＣＳ放送のチャンネルへの切換え処理が行われないようにすることができ、当該操作要求があった際に「ＣＳチューナの電源がオフに設定されています」などの情報が画面表示されるため、ユーザの利便性に優れる。
【００２５】
本発明の請求項５の、ユーザからの前記入力部に対する入力が、別の放送信号への受信切換え指示であり、当該別の放送信号を受信するチューナに該当するものが、前記電源供給が行われないように設定されたチューナであった場合には、当該電源供給が行われていないチューナへの電源供給を行うか否かの指示をユーザに求め、これに対する前記入力部に対するユーザからの指示が、電源供給を行う旨の指示であった場合には、前記チューナ電源制御回路による当該チューナへの電源供給処理を行うと共に、前記別の放送信号への受信切換え処理を行うことを特徴とする請求項１又は請求項２に記載のテレビ放送受信装置によれば、例えば、ＣＳチューナの電源をオフとする設定がされている状態で、ＣＳ放送のチャンネルへの変更操作があった場合には、当該ＣＳチューナに対する電源供給を行うか否かの判断をユーザに求め、電源供給を行う旨の指示であった場合には、例外的処理として、ＣＳチューナへの電源供給を行うと共に、ＣＳ放送のチャンネルへの切換え処理が行われる。よって、装置の使用される状況によっては、設定に従って画一的に「ＣＳ放送のチャンネルへの切換えを不可とする」ものに比してより利便性に優れる。
【発明を実施するための最良の形態】
【００２６】
以下、本発明の具体的実施例について、図面を参照しながら説明する。なお、以下の実施態様は、本発明を具体化する際の一形態であって、本発明をその範囲内に限定するためのものではない。
【実施例１】
【００２７】
図１は本実施例の液晶型テレビ放送受信装置（以下単にＬＣＤ）の本発明に関する部分の概略を示したブロック図であり、図２は同装置の外観を示す斜視図である。
【００２８】
本実施例のＬＣＤ１は、図１に示されるように、各周波数の放送信号を受信するチューナ１０１〜１０３（地上デジタルチューナ１・ＢＳ／ＣＳ１１０度チューナ２・ＣＳ１２４／１２８度チューナ３）と、これらのチューナ１０１〜１０３からの入力信号を切り替える入力切替部１０４と、当該入力切替部１０４から入力された信号の処理（表示部１０７へ映像を表示させるための映像信号（例えばＲＧＢ信号）の生成等）を行う映像信号処理部１０５と、オンスクリーン表示（以下単にＯＳＤ）信号を生成するＯＳＤ信号生成部１０８と、表示部１０７と、映像信号処理部１０５から入力される映像信号にＯＳＤ信号生成部１０８から入力されるＯＳＤ信号を重畳させる処理等を行うことで表示部１０７に映像を表示させる処理を行う表示処理部１０６と、記憶手段である記憶部１０９と、装置全体の制御等を行う制御部１１０と、チューナ１０１〜１０３のそれぞれへの電源供給を制御するチューナ電源制御回路１１１と、電源部１１２と、ユーザからの入力インターフェースである入力部１１３（操作部１１３１と、リモコン装置２と、リモコン装置２からの信号を受信する受光部１１３２と、操作部１１３１若しくは受光部１１３２からの信号内容を判別するキー判別部１１３３によって構成される）などを備える。
【００２９】
図３は、本実施例のＬＣＤ１の本発明に関する動作の概略を示したフローチャート図である。装置の電源がオンとされた際には（ステップ３０１）、工場出荷後の最初の電源投入であるか否かを判別する（ステップ３０２）。当該判別は、例えば、工場出荷時に０に設定され、最初の電源投入があった際に１に変更されるフラグを記憶部１０９に備えることにより、当該フラグの値を制御部１１０によって判別することなどによって行われる。
【００３０】
ステップ３０２における判断が肯定であった（工場出荷後の最初の電源投入である）場合には、図４（ａ）に示されるような“アンテナ設定画面”を表示部１０７に表示させて各アンテナの接続状況の設定をユーザに求め、各設定情報を取得して（ステップ３０３）、これを記憶部１０９に記憶させる（ステップ３０４）。当該処理は、制御部１１０・ＯＳＤ信号生成部１０８・表示処理部１０６によって設定画面を表示部１０７に表示させつつ（ユーザからの入力に応じて表示画面を変更させつつ）、リモコン装置２若しくは操作部１１３１に対するユーザからの入力内容を、キー判別部１１３３及び制御部１１０によって判別し、各設定情報を取得することによって行われる。なお、以下の処理における画面の表示処理や、ユーザの操作内容を判別する場合も同様の概念である。
【００３１】
“アンテナ設定”とは、図４（ａ）に示されるように、各チューナにアンテナが接続されているか否かについて設定するものではあるが、以下に示すごとく、本実施例の動作処理上における“アンテナ設定”は、各チューナへの電源供給の有無を設定するものであるため、仮にアンテナが接続されているチューナであっても、ユーザの判断により、「このチューナは使用しない」というものであれば、“接続されていない”に設定してもよい。
【００３２】
装置への電源投入（ステップ３０１）が、工場出荷後の最初の電源投入では無かった場合、若しくは、ステップ３０３〜ステップ３０４の処理を経た後に、ステップ３０５へと移行し、記憶部１０９に格納されている“アンテナ設定”に従って、制御部１１０及びチューナ電源制御回路１１１によって電源部１１２からのチューナ１０１〜１０３のそれぞれへの電源供給を制御する（“接続している”に設定されているチューナに対してのみ電源供給を行う）。
【００３３】
ステップ３０６〜ステップ３０７では、ユーザからの「チャンネル変更操作」若しくは「アンテナ設定の変更」の指示を待ち、「アンテナ設定の変更」要求があった場合にはステップ３０３へと移行して（ステップ３０６）、“アンテナ設定”の情報を取得して記憶部１０９へと格納する。「チャンネル変更操作」があった場合にはステップ３０８へと移行して（ステップ３０７）、当該チャンネルが、電源供給がなされていないチューナによって受信されるチャンネルであるか否かを判別する（例えば、リモコン装置２のＢＳ放送のチャンネルのボタンが入力された場合に、ＢＳ／ＣＳ１１０度チューナ２に対する“アンテナ設定”が“接続していない”とされているか否かを判別する）。ステップ３０８における判断が否定であった場合（選択されたチャンネルが、電源供給がされているチューナによって受信されるチャンネルであった場合）には、ステップ３０９においてチャンネル切換え処理を行った上でステップ３０６へと戻り、上記処理を繰返す。一方、ステップ３０８における判断が肯定であった場合（選択されたチャンネルが、電源供給がされていないチューナによって受信されるチャンネルであった場合）には、ステップ３１０において、図４（ｂ）に示されるような画面表示を行った上で、ステップ３０６へと戻り、上記処理を繰返す。
【００３４】
ステップ３１０における処理では、チャンネル変更処理を行うことなく、チャンネル操作前に受信中であった映像にメッセージを重畳させて表示させる処理とされる。例えば、地上波放送を受信中に、ＢＳ放送のチャンネルのボタンが押された場合（ＢＳ／ＣＳ１１０度チューナ２に対する“アンテナ設定”が“接続していない”に設定されているとする）には、地上波放送の受信状態を維持したまま、ＯＳＤ信号生成部１０８によって「ＢＳアンテナは“接続していない”に設定されています」という旨のＯＳＤ信号を生成させて、これを表示処理部１０６に受信中の地上波放送の映像に重畳させて表示部１０７に表示させる（一定時間表示させる等）処理となる（これにより図４（ｂ）に示されるような画面表示（背景は地上波放送の画面）が行われる）。
【００３５】
以上のごとく、本実施例のＬＣＤ１によれば、各チューナのそれぞれに対する電源供給の有無の設定がユーザによって行われ、例えば、ＢＳ放送のチャンネルへの変更操作がなされても、ＢＳ放送のチャンネルへの切換え処理が行われないようにすることができるため、ユーザの意に反した（例えば、ＢＳ放送を視聴する意思はもともと無いが、誤操作でＢＳ放送チャンネルを押してしまった場合など）チャンネルへの切換え処理が行われず、当該操作要求があった際に「ＢＳアンテナが接続されていません」などの情報が画面表示されるため、ユーザの利便性に優れると共に、不要なチューナへの電力供給がなされることがないため消費電力の低減も図られる。また、特定のチューナによる受信放送に切換えさせたくないような場合（例えば、教育機関に設置されるテレビ等においてＣＳ放送を受信させたくない場合や、逆にＣＳ放送のみ受信可能とさせたい場合など）に、当該チューナの“アンテナ設定”を、“接続していない”とすることにより、特定のチューナが受信する放送へのチャンネル切換えが行われないようにすることができるため、ユーザの利便性に優れる。
【実施例２】
【００３６】
図５は本実施例のＬＣＤの本発明に関する動作の概略を示したフローチャートである。なお、実施例１（図３）と同様の処理概念となるものについては、実施例１と同一の符号を使用し、ここでの説明を簡略化若しくは省略する。また、本実施例のＬＣＤの構成は、実施例１と同様であるため、ここでの説明を省略し、必要があるときは図１を参照して説明する。
【００３７】
ステップ３０１からステップ３０７までの処理概念は、基本的に実施例１（図３）と同様であるが、本実施例では、より直接的に“チューナ電源の設定”をユーザに求めるものとしており、ステップ５０１における処理では、図６（ａ）に示されるような画面を表示し、ステップ５０２及びステップ５０３においても“チューナ電源の設定”としている。
【００３８】
ステップ３０７（図５）における判断が肯定であった（「チャンネル変更操作」があった）場合にはステップ５０４へと移行して、当該チャンネルが、現在電源供給がなされていないチューナによって受信されるチャンネルであるか否かを判別する。当該判別は、制御部１１０によってチューナ電源制御回路１１１の現在の状態（どのチューナに電源供給がなされているか）を判別することによって行われる。この結果、現在電源供給がなされていないチューナが受信するチャンネルであった場合には、ステップ５０５において図６（ｂ）に示されるような画面を表示し、これに対するユーザからの指示が“チャンネル切換え”であった場合（ステップ５０６）には、当該「現在電源供給がなされていないチューナ」に対する電源供給処理を、制御部１１０とチューナ電源制御回路１１１とによって行い（ステップ５０７）、チャンネル切換え処理を行う（ステップ５０８）。一方、ステップ５０６における判断結果が否定であった（チャンネル切換えをしない）場合には、「チューナへの電源供給開始処理（ステップ５０７）」及び「チャンネル切換え処理（ステップ５０８）」を行うことなくステップ５０３へと戻って処理を繰返す。
【００３９】
ステップ５０４における判断結果が否定であった（現在電源供給がされているチューナによって受信されるチャンネルであった）場合、ステップ５０９へと移行して、チャンネル操作があったチャンネルが、電源供給がオフに設定（記憶部１０９に格納されている設定）されたチューナによって受信されるチャンネルであるか否かを判断する。当該判断の結果、オフに設定されたものであった場合には、ステップ５０８へと移行し、オンに設定されているものであった場合には、ステップ５１０においてチャンネル切換え処理を行った後にステップ５０２へと移行して、以下処理を繰返す。
【００４０】
上記処理概念を、具体例を挙げて説明する。地上デジタルチューナ１に対する“チューナ電源設定”が“ＯＮ”に設定されており、且つ、ＢＳ／ＣＳ１１０度チューナ２に対する“チューナ電源設定”が“ＯＦＦ”に設定されている場合を例として以下説明する。このような設定下において、ＢＳ／ＣＳ１１０度チューナ２に対する電源供給が行われていない場合（例えば、地上デジタル放送を視聴中）に、ＢＳ放送のチャンネルのボタンが押された場合、ステップ５０４からステップ５０５へと移行し、ステップ５０５の指示画面（図６（ｂ））に対し、ユーザが“チャンネル切換え”を指示すると、ステップ５０７においてＢＳ／ＣＳ１１０度チューナ２に対する電源供給が開始され、ＢＳ放送のチャンネルの受信（視聴）がなされた上で（ステップ５０８）、ステップ５０３及びステップ３０７の、“「チャンネル変更操作」若しくは「チューナ電源設定の変更」の指示を待ちループ”へと移行する。
【００４１】
この状態（ＢＳ放送視聴中）で、他のＢＳ放送チャンネルのボタンが押された場合、ステップ５０４からステップ５０９へと移行し（ＢＳ／ＣＳ１１０度チューナ２に対する電源供給が行われているため）、ステップ５０９からステップ５０８へと移行することとなる（ＢＳ／ＣＳ１１０度チューナ２の“チューナ電源設定”は“ＯＦＦ”に設定されているため）。これにより、“他のＢＳ放送チャンネル”への切換え処理が行われた上で、ステップ５０３及びステップ３０７の、“「チャンネル変更操作」若しくは「チューナ電源設定の変更」の指示を待ちループ”へと移行する。
【００４２】
一方、この状態（ＢＳ放送視聴中）で、地上デジタル放送チャンネルのボタンが押された場合、ステップ５０４からステップ５０９へと移行し、ステップ５０９からステップ５１０を介してステップ５０２へと移行することとなる。これにより、“地上デジタル放送チャンネル”への切換え処理が行われた上で、ステップ５０２で、ＢＳ／ＣＳ１１０度チューナ２に対する電源供給を停止する処理が行われる。
【００４３】
以上のごとく、本実施例によれば、例えば、ＢＳチューナの電源をオフとする設定がされている状態で、ＢＳ放送のチャンネルへの変更操作があった場合には、当該ＢＳチューナに対する電源供給を行うか否か（チャンネルを切換えるか否か）の判断をユーザに求め、電源供給を行う旨の指示であった場合には、例外的処理として（ＢＳ放送の視聴を終えた際には、再びＢＳチューナの電源がオフとされる）、ＢＳチューナへの電源供給を行うと共に、ＢＳ放送のチャンネルへの切換え処理が行われる。よって、装置の使用される状況によっては、設定に従って画一的に「ＢＳ放送のチャンネルへの切換えを不可とする」ものに比してより利便性に優れる。なお、パスワードなどを予め設定できるようにし、電源供給を行うか否か（チャンネルを切換えるか否か）の判断をユーザに求める際や、チューナ電源設定を行う際に、パスワードの入力を求めるようにすることで、“管理者”の意図に反する放送の視聴を“使用者”ができないようにするなどしてもよい。
【００４４】
図７には、他の処理例を示した。当該処理では、ステップ５０７（電源供給が行われていないチューナが受信するチャンネルへのチャンネル変更操作であった場合であって、当該チャンネルへの変更指示の確認がユーザからあった場合）に続くステップ７０１において、当該チューナの“チューナ電源設定”を“オン”として記憶部１０９に格納する処理を行っている。また、ステップ５０４における判断が否定であった場合（電源供給が行われているチューナが受信するチャンネルへの、チャンネル変更操作であった場合）に、ステップ５０８へと移行させることにより、単にチャンネル切り換え処理を行い、ステップ５０３とステップ３０７のループへと戻る処理としている。
【００４５】
このような処理により、“チューナ電源設定”を“オフ”とされているチューナに対するユーザからの受信要求（チャンネル切換え要求）があった際には、当該指示を反映して、“チューナ電源設定”が“オン”とされて記憶部１０９に格納される。
【００４６】
なお、本発明における「テレビ放送受信装置」とは、いわゆるテレビジョン受像機に限られるものではなく、「各放送信号を受信するチューナを複数備えた装置」であればよく、例えば、いわゆるＤＶＤレコーダなどの記録再生装置やパソコンなどであってもよい。
【図面の簡単な説明】
【００４７】
【図１】液晶型テレビ放送受信機の本発明に関する部分の概略を示したブロック図
【図２】液晶型テレビ放送受信機の外観を示す斜視図
【図３】実施例１の本発明に関する動作の概略を示したフローチャート図
【図４】表示画面の一例を示す図
【図５】実施例２の本発明に関する動作の概略を示したフローチャート図
【図６】表示画面の一例を示す図
【図７】本発明に関する別の動作の概略を示したフローチャート図
【符号の説明】
【００４８】
１      液晶型テレビ放送受信機
１０１・１０２・１０３  チューナ
１０９  記憶部
１１０  制御部
１１１  チューナ電源制御回路
１１２  電源部
１１３  入力部
【図１】
2007036333.tif 000003
【図２】
2007036333.tif 000004
【図３】
2007036333.tif 000005
【図４】
2007036333.tif 000006
【図５】
2007036333.tif 000007
【図６】
2007036333.tif 000008
【図７】
2007036333.tif 000009